(57)【要約】【課題】取付け、交換、調整が容易で、見栄えを改善し、戸閉時の戸当たり部による衝撃・衝突音の発生を軽減でき、しかも安全装置との干渉も回避したエレベータの出入口装置を提供する。【解決手段】エレベータの出入口を開閉する引き戸本体４と、先端部がこの引き戸本体の下部から突出するように設けられた戸の脚７と、上記出入口の下部に設けられ上記戸の脚の先端部を受け入れるように形成されたガイド部６ａを有する敷居６とを備えたエレベータの出入口装置において、上記戸の脚は、上記引き戸本体の戸閉方向先端部よりも戸閉方向に突き出るように形成された緩衝部材７２からなる戸当たり部７ａを有してなるようにしたものである。【選択図】図１
2006182485.tif 000002
【特許請求の範囲】
【請求項１】
エレベータの出入口を開閉する引き戸本体と、先端部がこの引き戸本体の下部から突出するように設けられた戸の脚と、上記出入口の下部に設けられ上記戸の脚の先端部を受け入れるように形成されたガイド部を有する敷居とを備えたエレベータの出入口装置において、上記戸の脚は、上記引き戸本体の戸閉方向先端部よりも戸閉方向に突き出るように形成された緩衝部材からなる戸当たり部を有してなることを特徴とするエレベータの出入口装置。
【請求項２】
上記戸の脚は、上記引き戸本体に取付けるための固定穴を有し下端部が上記ガイド部に進入する板状の脚部材と、この脚部材の下端部に設けられ戸閉方向先端部が上記脚部材よりも長く伸びて形成された緩衝部材とからなり、この緩衝部材の先端部を上記戸当たり部としてなることを特徴とする請求項１に記載のエレベータの出入口装置。
【請求項３】
上記緩衝部材は、上記脚部材の戸開方向及び戸閉方向の両方向に該脚部材よりも長く伸びて形成され、かつ上記固定穴に対する戸開方向先端部及び戸閉方向先端部までの長さを互いに異なるように形成してなることを特徴とする請求項２に記載のエレベータの出入口装置。
【請求項４】
上記引き戸本体は、互いに逆方向に往復移動して上記出入口を開閉する第１引き戸と、第２引き戸からなり、上記戸当たり部をこれら第１引き戸と、第２引き戸双方の戸の脚の戸閉方向先端部に設けてなることを特徴とする請求項１ないし請求項３の何れかに記載のエレベータの出入口装置。
【発明の詳細な説明】
【技術分野】
【０００１】
この発明はエレベータの出入口装置に関し、さらに詳細には引き戸本体の戸当たり部の改善に関する。
【背景技術】
【０００２】
従来のエレベータの出入口装置としては、互いに反対方向に動作してエレベータの出入口を開閉する両引き戸、条体からなり両引き戸の一方の引き戸の戸当たり側の縁部裏面に設けられて、長手が戸当たり側の縁部の上下方向に沿って配置された保持具と、水平投影面において保持具に一側が保持されて屈曲した他側に一方の引き戸の戸当たり端面に重合する衝突部が形成された粘弾性材製の戸当たり条体とを設けたものがある（例えば特許文献１参照。）。
【０００３】
【特許文献１】特開２００２−２７４７７２号公報（第１頁、図１）
【発明の開示】
【発明が解決しようとする課題】
【０００４】
上記のように構成された従来のエレベータの出入口装置においては、戸当たり緩衝材が引き戸の戸当たり側の縁部裏面に設けられているため、引き戸の板金加工精度・据付精度が悪い場合に、引き戸同士の衝撃・衝突音が発生する。また、戸当たり緩衝材が引き戸の全長にわたって配置されるため、重量が増大し、取付ネジの締結箇所が多く、取付け・交換・調整は非常に時間が掛かり、さらにこの取付ネジが引き戸の戸当たり面より見えるため、見栄えが良くない。さらに、可動する安全装置が引き戸の昇降路側に配置されるため、安全装置にかかる外力による撓みによって安全装置が取付ネジと干渉し、安全装置に傷が発生する場合があるなどの課題があった。
【０００５】
この発明は上記のような従来技術の課題を解消するためになされたもので、取付け、交換、調整が容易で、見栄えを改善し、戸閉時の戸当たり部による衝撃・衝突音の発生を軽減でき、しかも安全装置との干渉も回避したエレベータの出入口装置を提供することを目的としている。
【課題を解決するための手段】
【０００６】
この発明によるエレベータの出入口装置は、エレベータの出入口を開閉する引き戸本体と、先端部がこの引き戸本体の下部から突出するように設けられた戸の脚と、上記出入口の下部に設けられ上記戸の脚の先端部を受け入れるように形成されたガイド部を有する敷居とを備えたエレベータの出入口装置において、上記戸の脚は、上記引き戸本体の戸閉方向先端部よりも戸閉方向に突き出るように形成された緩衝部材からなる戸当たり部を有してなるようにしたものである。
【発明の効果】
【０００７】
この発明においては、戸の脚に設けた緩衝部材からなる戸当たり部が、引き戸本体の戸閉方向先端部よりも戸閉方向に突き出るように形成したことにより、緩衝装置取付用の穴開け加工が必要なく、取付け、交換、調整が容易で、見栄えも改善され、戸閉時の戸当たり部による衝撃・衝突音の発生を軽減でき、しかも安全装置との干渉も回避できる。
【発明を実施するための最良の形態】
【０００８】
実施の形態１．
図１〜図４は、この発明の実施の形態１によるエレベータの出入口装置を説明する図であり、図１はエレベータの昇降路側から見た全体構成を示す正面図、図２は図１のＡ部を拡大して示す要部正面図、図３は図２に示す戸の脚を示すもので、（ａ）は正面図、（ｂ）は側面図、図４は引き戸本体と安全装置の配置関係を示す要部横断面図である。図において、２点鎖線で示す１はエレベータの乗場の出入口範囲を表わし、この出入口範囲１に対して図の左半分を矢印Ａで示す横方向に開閉する引き戸本体である第１引き戸４と、出入口範囲１の右半分を矢印Ｂで示す横方向に開閉する引き戸本体である第２引き戸５が左右対称的にそれぞれ配設され、２つの引き戸４、５は出入口範囲１中心で戸閉状態となる。
【０００９】
これら第１及び第２引き戸４、５は、上端部がドアハンガー２を介して戸レール３によって案内され、また下端部は第１及び第２引き戸４、５にそれぞれ取付けられた戸の脚７と戸の脚１４を介して敷居６の溝状のガイド部６ａによって案内されて、第１及び第２引き戸４、５は互いに反対方向へ動作し出入口を開閉する。なお、４ａ及び５ａは第１及び第２引き戸４及び５の戸閉方向先端部である。また、１５は戸閉時に乗客が第１及び第２引き戸４、５に挟まれないようにするための安全装置であり、各引き戸４、５の補強部等に取付けられている（詳細図示省略）。上記第１引き戸４と第２引き戸５は、左右対称的に互いに同様の構成であるので、以下、説明の便宜上第１引き戸４の構成を中心に説明する。
【００１０】
戸の脚７は図２、図３に示すように、引き戸本体である第１、または第２引き戸４、または５の下部補強部８に取付けるための固定穴７１ａを有し、下端部が敷居６に設けられた溝状のガイド部６ａに進入する板状の脚部材７１と、この脚部材７１の下端部に、上記敷居６のガイド部６ａに進入し得るように設けられ、戸閉方向先端部（図３（ａ）の右側端部）が上記脚部材７１よりも長く伸びて、先端部が戸閉時に第１引き戸４の戸当たり部７ａを形成するゴム等の粘弾性材からなる緩衝部材７２とから構成されている。また、上記固定穴７１ａは、脚部材７１の左右方向中心に対し左右対称位置にこの例では２つ設けられている。
【００１１】
そして、上記固定穴７１ａに対する戸開方向（図３の左方向）先端部までの長さがＸのとき、戸閉方向（図３の右方向）先端部までの長さが例えばＸ＋αとなるように左右非対象に形成されており、図２のようにボルト１０で第１引き戸４と締結され、戸閉方向先端部の戸当たり部７ａは引き戸本体である第１引き戸４の戸閉方向先端部よりも戸閉方向に突き出るように構成され、戸閉時には第１引き戸４と第２引き戸５が当接する前に戸当たり部７ａ相互が衝突部９で衝突するように構成されている。
【００１２】
次に上記のように構成された実施の形態１の動作について説明する。戸の脚７に設けた緩衝部材７２の戸当たり部７ａは、第１及び第２引き戸４及び５の戸閉方向先端部４ａ及び５ａよりも戸閉方向に長く突設されているので、戸閉時、第１及び第２引き戸４及び５が当接する前に衝突部９で戸当たり緩衝機能を兼用する戸の脚７の戸当たり部７ａ同士が衝突し、第１及び第２引き戸４、５同士の衝撃・衝突音の発生を軽減するため、第１及び第２引き戸４、５の板金加工精度・据付精度が悪い時においても、衝撃・衝突音は悪くならない。
【００１３】
また、この様な構造としたことにより、図４に示すように第１及び第２引き戸４、５と安全装置１５の間には、何も取付けないため、取付用穴あけ加工などが不要となり、見栄えを損なわせず、安全装置１５の撓みによる傷の発生を少なくする。さらに、第１及び第２引き戸４、５と安全装置１５の間隙Ｄを縮小でき、敷居６の薄形化などが可能となる。据付け時の戸当たり部の調整は、図３のように戸の脚７の戸当たり部７ａから締結部である固定穴７１ａまでの距離が左右でα分違うため、第１及び第２引き戸４、５のどちらか一方を裏返しに締結すれば±αずつ変位し、容易に戸当たり部の間隙調整が可能である。保守交換においては、通常の戸の脚１４と同様に緩衝機能を兼用する戸の脚７を交換するのみで完了するため、時間が掛らない。
【００１４】
以上説明したようにこの発明の実施の形態１によれば、第１及び第２引き戸４、５の板金加工精度・据付精度が悪い時においても衝撃・衝突音は軽減でき、取付け、交換、調整が容易で、見栄えを損なわず、戸閉時の戸当たり部７ａによる衝撃・衝突音の発生を軽減でき、しかも安全装置１５との干渉も回避したエレベータの出入口装置が得られる。
なお、上記説明では引き戸本体が両引き戸の場合について説明したが、これに限定されるものではなく、例えば片引き戸の場合でも例えば戸当たり側の戸の脚に緩衝部材と、三方枠の戸当たり側の戸の脚と対向する位置に戸の脚の受けを設置する（図示省略）ことにより、引き戸の戸当たり面の緩衝部材を省くことができ、見栄えを損なうことなく戸当たり時の衝撃を緩和することができるなど同様の効果を期待することができる。
【図面の簡単な説明】
【００１５】
【図１】この発明の実施の形態１によるエレベータの出入口装置をエレベータの昇降路側から見た全体構成を示す正面図である。
【図２】図１のＡ部を拡大して示す要部正面図である。
【図３】図２に示す戸の脚を示すもので、（ａ）は正面図、（ｂ）は側面図である。
【図４】引き戸本体と安全装置の配置関係を示す要部横断面図である。
【符号の説明】
【００１６】
１  出入口範囲、  ２  ドアハンガー、  ３  戸レール、  ４  引き戸本体（第１引き戸）、  ４ａ  戸閉方向先端部、  ５  引き戸本体（第２引き戸）、  ５ａ  戸閉方向先端部、  ６  敷居、  ６ａ  ガイド部、  ７  戸の脚、  ７ａ  戸当たり部、  ７１  脚部材、  ７１ａ  固定穴、  ７２  緩衝部材、  ８  下部補強部、  ９  衝突部、  １０  ボルト、  １４  戸の脚、  １５  安全装置。
【図１】
2006182485.tif 000003
【図２】
2006182485.tif 000004
【図３】
2006182485.tif 000005
【図４】
2006182485.tif 000006